(57)【要約】【課題】表示領域への圧迫を低減しつつ、表示しているスライス画像のスライス位置を簡便に把握することができる医用画像装置を提供すること。【解決手段】実施形態に係る医用画像表示装置は、記憶部と、表示制御部とを有する。記憶部は、医用画像を記憶する。表示制御部は、読影開始を示す開始指示を受けたとき、医用画像のうち読影対象画像であるメイン画像に基づくサブ画面をメイン画像とともに表示し、そして予め定められたサブ画面表示時間経過後にサブ画面を非表示とする。【選択図】図１
2019092942.tif 000002
【特許請求の範囲】
【請求項１】
医用画像を記憶する記憶部と、
読影開始を示す開始指示を受けたとき、前記医用画像のうち読影対象画像であるメイン画像に基づくサブ画面を前記メイン画像とともに表示し、そして予め定められたサブ画面表示時間経過後に前記サブ画面を非表示とする表示制御部と、
を有する医用画像表示装置。
【請求項２】
前記表示制御部は、前記サブ画面を前記メイン画像に重畳して表示する、請求項１に記載の医用画像表示装置。
【請求項３】
前記開始指示は、ビューワの起動指示、読影対象検査の切替指示、及び表示中の前記メイン画像とは異なる他の医用画像群からの医用画像を表示する医用画像群選択指示のうち１つ以上を含む、請求項１に記載の医用画像表示装置。
【請求項４】
前記医用画像には、被検体の部位又は臓器を示す付帯情報が付帯され、
前記記憶部は、前記付帯情報と前記サブ画面の種別とが関連付けられた付帯関連情報を予め記憶し、
前記表示制御部は、前記メイン画像の前記付帯情報と前記付帯関連情報とに基づいて、当該付帯情報に関連付けられた種別の前記サブ画面を表示する、
請求項１に記載の医用画像表示装置。
【請求項５】
前記付帯情報は、被検体の病変部を示す病変部情報を記憶し、
前記表示制御部は、表示された前記メイン画像の前記付帯情報を参照し、該付帯情報が前記病変部情報を含むとき、前記サブ画面を表示する、
請求項４に記載の医用画像表示装置。
【請求項６】
前記記憶部は、ユーザＩＤ、モダリティ種別、部位、又は画像枚数と、前記サブ画面表示時間とが関連付けられた時間関連情報を予め記憶し、
前記表示制御部は、前記時間関連情報に基づいて、前記ユーザＩＤ、前記モダリティ種別、前記部位、又は前記画像枚数に関連付けられた前記サブ画面表示時間経過後に前記サブ画面を非表示とする、
請求項１に記載の医用画像表示装置。
【請求項７】
前記サブ画面の種別には、スキャノ画像、ＭＰＲ画像、３次元画像、又は、サムネイル画像が含まれる、請求項１〜６のいずれか１つに記載の医用画像表示装置。
【発明の詳細な説明】
【技術分野】
【０００１】
本発明の実施形態は、医用画像表示装置に関する。
【背景技術】
【０００２】
医療分野においては、Ｘ線ＣＴ装置やＭＲＩ装置等の医用画像診断装置により生成された被検体の複数のスライス画像による医用画像群に対する読影を行う場合、専門の医師（読影医）に依頼することが広く行われている。読影医は、医用画像表示装置を用いて当該医用画像群のスライス画像を表示しながら読影し、その所見を読影レポートとして作成する。
【０００３】
スライス画像は、医用画像群に多数含まれる。読影医等の操作者は、多数のスライス画像を順次切り替えながら、病変部を示すスライス画像を探す。このとき、操作者は、切り替えを指示するめくり指示を医用画像表示装置へ入力しながら、スライス画像を順次表示させる。
【０００４】
例えば、医用画像群のうちスライス位置が先頭又は最後尾のスライス画像が表示された状態からめくり指示を入力する場合、操作者が１方向へのめくり指示を入力することによって、所望のスライス画像が表示される。しかしながら、先頭又は最後尾以外のスライス位置のスライス画像が表示された状態の場合、操作者にとってめくり方向の判断が困難な場合がある。この場合、前後数枚往復するようにめくり指示を入力するなどして、表示中のスライス位置を把握し、そして所望のスライス位置へめくり指示を入力するという手間が発生していた。
【０００５】
また、ＭＰＲ（Ｍｕｌｔｉ  Ｐｌａｎａｒ  Ｒｅｃｏｎｓｔｒｕｃｔｉｏｎ）画像など、表示中のスライス画像のスライス位置を示す画像を読影対象のスライス画像とともに表示する場合がある。この場合、単にスライス位置を確認するだけの目的にも関わらず、画面上の表示領域が圧迫され、スライス画像が見難くなった。また、ＭＰＲ画像を表示する際に別のアプリケーションソフトを起動する必要がある場合や、使用中のビューア内でＭＰＲ画像が表示されてしまう等、操作上の手順が煩雑となる場合があった。
【先行技術文献】
【特許文献】
【０００６】
【特許文献１】特許第５７８２５２０号
【発明の概要】
【発明が解決しようとする課題】
【０００７】
本発明が解決しようとする課題は、表示領域への圧迫を低減しつつ、表示しているスライス画像のスライス位置を簡便に把握することができる医用画像装置を提供することである。
【課題を解決するための手段】
【０００８】
実施形態に係る医用画像表示装置は、記憶部と、表示制御部とを有する。記憶部は、医用画像を記憶する。表示制御部は、読影開始を示す開始指示を受けたとき、医用画像のうち読影対象画像であるメイン画像に基づくサブ画面をメイン画像とともに表示し、そして予め定められたサブ画面表示時間経過後にサブ画面を非表示とする。
【図面の簡単な説明】
【０００９】
【図１】実施形態に係る医用画像表示装置の構成を示すブロック図。
【図２】実施形態に係る付帯関連情報の概略を示す模式図。
【図３】実施形態に係る時間関連情報の概略を示す模式図。
【図４】実施形態に係る医用画像表示装置の動作を示すフローチャート。
【図５】実施形態に係るサブ画面の表示例を示す模式図。
【図６】実施形態に係るサブ画面の表示例を示す模式図。
【図７】実施形態に係るサブ画面の表示例を示す模式図。
【図８】実施形態に係るサブ画面の表示例を示す模式図。
【発明を実施するための形態】
【００１０】
以下、実施形態の医用画像表示装置について図面を参照しながら説明する。
【００１１】
図１は、実施形態に係る医用画像表示装置１の構成を示すブロック図である。例えば、医用画像表示装置１は、医用画像診断装置２及び医用画像データベース３とネットワークＮを介して通信可能に接続される。
【００１２】
医用画像診断装置２の例としては、Ｘ線ＣＴ（Ｃｏｍｐｕｔｅｄ  Ｔｏｍｏｇｒａｐｈｙ）装置、ＭＲＩ（Ｍａｇｎｅｔｉｃ  Ｒｅｓｏｎａｎｃｅ  Ｉｍａｇｉｎｇ）装置等が挙げられる。これら医用画像診断装置２のことをモダリティと称する場合がある。医用画像診断装置２は、被検体の複数のスライス画像を生成する。スライス画像は、特許請求の範囲における医用画像の一例である。複数のスライス画像は、その断面に垂直な方向にまとめられる。まとめられた複数のスライス画像には、所定の座標系が設定される。例えば、医用画像診断装置２は、ＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）に準拠したファイル形式で複数のスライス画像を医用画像データベース３へ送信する。また、医用画像診断装置２は、本撮影よりも前に生成したスキャノ画像（透視画像）を複数のスライス画像とともに医用画像データベース３へ送信してもよい。
【００１３】
それぞれのスライス画像には、付帯情報が付帯される。例えば、付帯情報には、スライス画像データを特定する画像ＵＩＤ、被検体を特定可能な被検体ＩＤ、当該スライス画像が生成された日時を表す日時情報、モダリティの種別を表すモダリティ種別情報、当該スライス画像が生成された被検体の部位を表す部位情報、当該スライス画像のスライス方向を表すスライス方向情報、当該スライス画像のスライス厚を表すスライス厚情報、複数のスライス画像に設定された座標系を表す座標系情報、当該スライス画像のスライス位置（断面位置）を表すスライス位置情報、当該スライス画像が示す臓器を示す臓器情報、当該スライス画像の検査（プロトコル）を示す検査情報、被検体の病変部を示す病変部情報が含まれる。
【００１４】
医用画像データベース３は、医用画像診断装置２からのスライス画像群及び医用画像表示装置１からの読影レポートを記憶するデータベースである。なお、医用画像データベース３は、電子カルテ情報を記憶してもよい。医用画像データベース３のデータ構造は、ＤＩＣＯＭ等に基づいて適宜定められる。
【００１５】
医用画像表示装置１は、記憶回路１１と、表示制御回路１２と、ディスプレイ１３と、入力回路１４とを有する。
【００１６】
記憶回路１１は、医用画像を記憶するメモリである。記憶回路１１は、特許請求の範囲における記憶部の一例である。例えば、操作者が所望の医用画像を読み出す指示入力を行ったとき、記憶回路１１は、当該入力指示に応じた複数のスライス画像を医用画像診断装置２又は医用画像データベース３から読み出し、記憶する。スライス画像が記憶される記憶領域は、揮発領域でも不揮発領域でもどちらでもよい。
【００１７】
記憶回路１１は、付帯情報とサブ画面（後述）の種別とが関連付けられた付帯関連情報を予め記憶する。図２は、付帯関連情報の概略を示す模式図である。ここでは、部位・病変部（腹部、頭部、心臓、胸部、・・・）とサブ画面の種別（スキャノ画像、ＭＰＲ画像、３次元画像、サムネイル画像）とがテーブル情報として関連付けられた例を示す。付帯関連情報は、表示制御回路１２がサブ画面に表示する画像種別を特定する処理において用いられる（後述）。
【００１８】
また、記憶回路１１は、ユーザＩＤ、モダリティ種別、部位、又は画像枚数と、サブ画面表示時間（後述）が関連付けられた時間関連情報を予め記憶する。図３は、時間関連情報の概略を示す模式図である。ここでは、ユーザＩＤ（ＩＤ１、ＩＤ２、・・・）、モダリティ種別（ＣＴ、ＭＲ、・・・）、部位・臓器（腹部、頭部、心臓、胸部、・・・）、又は画像枚数（ｎ１、ｎ２、ｎ３、ｎ４、・・・）と、サブ画面表示時間（Ｔ１、Ｔ２、Ｔ３、Ｔ４、・・・）とがテーブル情報として関連付けられた例を示す。時間関連情報は、表示制御回路１２がサブ画面表示時間を特定する処理において用いられる（後述）。例えば、サブ画面表示時間は、モダリティ種別がＣＴの場合は短く設定され、モダリティ種別がＭＲの場合は長く設定される。また例えば、サブ画面表示時間は、部位が頭部の場合は短く設定され、部位が腹部の場合は長く設定される。また例えば、サブ画面表示時間は、画像枚数が少ない場合は短く設定され、画像枚数が多い場合は長く設定される。サブ画面表示時間は、時間関連情報において、ユーザＩＤ、モダリティ種別、部位、又は画像枚数に応じて予め定められる。
【００１９】
表示制御回路１２は、読影開始を示す開始指示を受けたとき、医用画像のうち読影対象画像であるメイン画像に基づくサブ画面をメイン画像とともに表示し、そして予め定められたサブ画面表示時間経過後に前記サブ画面を非表示とするプロセッサである。表示制御回路１２は、特許請求の範囲における表示制御部の一例である。ここでは、読影対象として主たる表示領域に表示される画像をメイン画像と称する。メイン画像の数は単数に限るものではなく、検査種別や読影主旨（経過観察等）により、複数となる場合もある。
【００２０】
読影開始を示す開始指示の例としては、ビューワの起動指示、読影対象検査の切替指示、及び表示中のメイン画像とは異なる他の医用画像群からの医用画像を表示する医用画像群選択指示が挙げられる。これら開始指示が入力されるタイミングは、読影の際、操作者がスライス位置を把握し難くなる傾向にあるタイミングである。これら開始指示は、通常、操作者による操作入力によって対象スライス画像群を示す指示とともに表示制制御回路１２へ入力される。
【００２１】
表示制御回路１２は、開始指示を受けたとき、当該スライス画像群の付帯情報と記憶回路１１に記憶された付帯関連情報とを照合する。それにより、表示制御回路１２は、サブ画面に表示する画像の種別を特定する。
【００２２】
また、表示制御回路１２は、ユーザＩＤ、モダリティ種別、部位、又は画像枚数と、時間関連情報とを照合する。それにより、表示制御回路１２は、サブ画面を表示するサブ画面表示時間を特定する。なお、モダリティ種別、部位、又は画像枚数は、表示制御回路１２が当該スライス画像の付帯情報を参照することにより特定される。また、通常、ユーザＩＤは、医用画像表示装置１へのログイン時に入力されている。したがって、表示制御回路１２は、時間関連情報におけるユーザＩＤ、モダリティ種別、部位、又は画像枚数を特定し、時間関連情報と照合することによってサブ画面表示時間を特定することができる。
【００２３】
表示制御回路１２は、特定したサブ画面表示時間の間サブ画面を表示する。例えば表示制御回路１２は、サブ画面をメイン画像に重畳して表示する（表示例は後述する）。そして、特定したサブ画面表示時間経過後、表示制御回路１２は、サブ画面を非表示とする。この表示時間の計時には一般的な計時機能が適用されてよい。
【００２４】
ディスプレイ１３は、スライス画像及びサブ画面を表示する表示デバイスである。表示デバイスの例としては、液晶ディスプレイ、有機ＥＬ（Ｅｌｅｃｔｒｏｌｕｍｉｎｅｓｃｅｎｃｅ）ディスプレイ等が挙げられる。
【００２５】
入力回路１４は、操作者が各種指示入力を医用画像表示装置１へ行なうための操作デバイスである。操作デバイスの例としては、キーボード、マウス、トラックボール、ジョイスティック等の操作デバイスによって構成される。
【００２６】
図４は、実施形態の医用画像表示装置１の動作を示すフローチャートである。
【００２７】
ステップＳ１０１：操作者は、ビューワの起動指示を入力する。表示制御回路１２は、メイン画像を表示する。
【００２８】
ステップＳ１０２：表示制御回路１２は、ビューワの起動指示をトリガとして、付帯関連情報を当該スライス画像群の付帯情報と記憶回路１１に記憶された付帯関連情報とを照合する。それにより、表示制御回路１２は、サブ画面に表示する画像の種別を特定する。
【００２９】
ステップＳ１０３：表示制御回路１２は、ユーザＩＤ、モダリティ種別、部位、又は画像枚数と、時間関連情報とを照合する。それにより、表示制御回路１２は、サブ画面を表示するサブ画面表示時間を特定する。
【００３０】
ステップＳ１０４：表示制御回路１２は、特定した種別の画像をサブ画面に表示する。このとき、表制御回路１２は、サブ画面をメイン画像に重畳して表示する。
【００３１】
ステップＳ１０５：サブ画面表示時間経過後、表示制御回路１２は、サブ画面を非表示とする。
【００３２】
ステップＳ１０６、ステップＳ１０８、：読影対象検査の切替指示、又は、表示中のメイン画像とは異なる他の医用画像群からの医用画像を表示する医用画像群選択指示である開始指示を受けたとき（ステップＳ１０６；Ｙｅｓ）、表示制御回路１２は、表示制御回路１２は、ビューワの起動指示をトリガとして、付帯関連情報を当該スライス画像群の付帯情報と記憶回路１１に記憶された付帯関連情報とを照合する。それにより、表示制御回路１２は、サブ画面に表示する画像の種別を新たに特定する。
【００３３】
ステップＳ１０６、ステップＳ１０７：読影対象検査の切替指示、又は、表示中のメイン画像とは異なる他の医用画像群からの医用画像を表示する医用画像群選択指示である開始指示を受けないとき（ステップＳ１０６；Ｎｏ）、表示制御回路１２は、メイン画像の付帯情報に病変を示す病変部情報が含まれるか参照する。メイン画像の付帯情報に病変部情報が含まれるとき（ステップＳ１０７；Ｙｅｓ）、ステップＳ１０８ヘ進む。メイン画像の付帯情報に病変部情報が含まれないとき（ステップＳ１０７；Ｎｏ）、ステップＳ１０６へ戻る。
【００３４】
ステップＳ１０９：表示制御回路１２は、ユーザＩＤ、モダリティ種別、部位、又は画像枚数と、時間関連情報とを照合する。それにより、表示制御回路１２は、サブ画面を表示するサブ画面表示時間を新たに特定する。
【００３５】
ステップＳ１１０：表示制御回路１２は、特定した種別の画像をサブ画面に表示する。このとき、表示制御回路１２は、サブ画面をメイン画像に重畳して新たに表示する。そして、ステップＳ１０５の処理へ戻る。
【００３６】
実施形態に係る医用画像表示装置１によれば、メイン画像のスライス位置が途中の位置（先頭でも最後尾でもない位置）であっても、操作者は、サブ画面を参照することによって、表示中のスライス位置を簡便に把握することができる。それにより、操作者は、所望のスライス位置の方向を簡便に把握し、めくり操作を行うことができる。
【００３７】
また、医用画像表示装置１によれば、サブ画面に表示される画像の種別は、付帯関連情報に基づいて自動的に特定される。それにより、操作者は、読影の目的に応じて特定されたサブ画面の画像を参照しながらスライス位置を簡便に把握することができる。
【００３８】
また、医用画像表示装置１によれば、サブ画面が表示される時間は、時間関連情報に基づいて自動的に特定される。したがって、読影の目的に応じて特定されたサブ仮面表示時間が経過後、サブ画面が自動的に非表示となる。それにより、サブ画面が表示されることによる表示領域の圧迫時間を低減することができる。
【００３９】
図５〜図８は、サブ画面ＳＰの表示例を示す模式図である。図５の例では、メイン画像ＭＰにＣＴ画像が表示され、サブ画面ＳＰに当該スライス画像群の撮影範囲を示すスキャノ画像が表示された例を示す。例えば、表示制御回路１２は、メイン画像ＭＰに重畳して、スキャノ画像をサブ画面ＳＰに表示する。また、表示制御回路１２は、メイン画像ＭＰのスライス位置情報とスキャノ画像の座標情報とを照合する。それにより、表示制御回路１２は、スキャノ画像の座標系におけるメイン画像ＭＰのスライス位置を特定する。表示制御回路１２は、特定しスライス位置を示すマーカＭＫをサブ画面に表示する。これにより例えば、メイン画像ＭＰに対し下方向へのめくり操作を行えば、メイン画像が足方向へスクロールすることが把握できる。なお、スキャノ画像とメイン画像との位置合わせが検量しているので、操作者は、スカウト画像へのクリック操作を入力することで、表示制御回路１２は、クリック位置に対応するスライス画像をメイン画像ＭＰとして選択し表示してもよい。
【００４０】
図６の例では、メイン画像ＭＰにＣＴ画像が表示され、サブ画面ＳＰに当該ＣＴ画像を含むスライス画像群から再構成された心臓の３次元画像が重畳表示された例を示す。また、また、表示制御回路１２は、メイン画像ＭＰのスライス位置情報と３次元画像の座標情報とを照合する。それにより、表示制御回路１２は、３次元画像の座標系におけるメイン画像ＭＰのスライス位置を特定する。表示制御回路１２は、特定しスライス位置を示すマーカＭＫをサブ画面に表示する。これにより、例えば３次元画像上で心筋の虚血が観察できる場合、境界付近の閉塞している冠動脈の位置へのスクロール方向を把握することができる。また、操作者が３次元画像へのクリック操作を入力することによって、当該位置のスライス画像へジャンプ表示することができる。
【００４１】
図７の例では、メイン画像ＭＰに頭部のＭＲＩ画像が表示され、サブ画面ＳＰに当該ＭＲＩ画像の他の断面方向のＭＰＲ画像が重畳表示された例を示す。この場合、表示制御回路１２は、メイン画像ＭＰの付帯情報と記憶回路１１に記憶された付帯関連情報とを照合することによって、この付帯情報に関連付けられた断面方向のＭＰＲ画像を自動的に選択し、サブ画面ＳＰに表示する。サブ画面ＳＰへの選択事例としては、「脳腫瘍疑いの場合は、腫瘍の位置を把握しやすいようにサジタル画像を表示する」、「脳梗塞疑いで片麻痺が発生している場合は、左右差を把握しやすいようにコロナル画像を表示する」等が挙げられる。また、同様に、メイン画像ＳＰに腹部のＣＴ画像を表示する場合、「対象部位が肝臓の場合は、肝臓の位置が把握しやすいコロナル画像」を、「対象部位が脊椎の場合は、脊椎の位置が把握しやすいサジタル画像」を、表示してもよい。
【００４２】
図８の例では、メイン画像ＭＰに頭部のＭＲＩ画像が表示され、サブ画面ＳＰにサムネイル画像が重畳表示された例を示す。頭部のＭＲＩでは、メイン画像ＭＰと同じスライス位置の別プロトコルの画像を表示しながら経過観察を行う場合がる。この際サムネイル画像を常に表示しておくと、画面上の表示領域が圧迫される。サブ画面ＳＰは、サブ画面表示時間経過後に非表示とされるので、表示領域の圧迫時間が低減される。
【００４３】
上記説明において用いた「プロセッサ」という文言は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  ｐｒｏｃｅｓｓｉｎｇ  Ｕｎｉｔ）、或いは、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等の回路を意味する。プロセッサは記憶回路に保存されたプログラムを読み出し実行することで機能を実現する。なお、記憶回路にプログラムを保存する代わりに、プロセッサの回路内にプログラムを直接組み込むよう構成しても構わない。この場合、プロセッサは回路内に組み込まれたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。さらに、複数の構成要素を１つのプロセッサへ統合してその機能を実現するようにしてもよい。
【００４４】
以上述べた少なくともひとつの実施形態の医用画像表示装置によれば、表示領域への圧迫を低減しつつ、表示しているスライス画像のスライス位置を簡便に把握することができる。
【００４５】
本発明のいくつかの実施形態を説明したが、これら実施形態は、例として提示したものであり、発明の範囲を限定することを意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４６】
１      医用画像表示装置
２      医用画像診断装置
３      医用画像データベース
１１    記憶回路
１２    表示制御回路
１３    ディスプレイ
１４    入力回路
【図１】
2019092942.tif 000003
【図２】
2019092942.tif 000004
【図３】
2019092942.tif 000005
【図４】
2019092942.tif 000006
【図５】
2019092942.tif 000007
【図６】
2019092942.tif 000008
【図７】
2019092942.tif 000009
【図８】
2019092942.tif 000010